(57)【要約】      （修正有）【課題】高効率太陽電池モジュールを用いた携帯用通信装置用充電装置を提供する。【解決手段】太陽電池モジュールを少なくとも２つ以上の直列あるいは並列連結し、蓋で包装して作った太陽電池モジュール部１１０、及び太陽電池モジュール部と連結ケーブル１３０を通じて連結され、太陽電池モジュール部と連結された状態では、常に充電作動して内部の蓄電池１２５を充電し、太陽電池モジュール部と連結解除された状態では、出力スイッチ１２２がオンされると、放電作動して蓄電池に充電された電源を出力端子を通じて外部の携帯用通信装備２００に供給する充電部から構成する。【選択図】図１
2017011816.tif 000002
【特許請求の範囲】
【請求項１】
前面に金属性反射物質である電極がなく変換効率が２０％以上で高効率な裏面電極型（ＩＢＣ：Ｉｎｔｅｒｄｉｇｉｔａｔｅｄ  Ｂａｃｋ  Ｃｏｎｔａｃｔ）太陽電池を、予め定めたサイズの長方形や正方形の彫刻セル形状にスクライビング（ｓｃｒｉｂｉｎｇ）作業し、スクライビングされた彫刻セルを手でブレーキング（ｂｒｅａｋｉｎｇ）作業して分離した少なくとも２つ以上の彫刻セルを使用してテビン（ｔａｂｂｉｎｇ）とストリング（ｓｔｒｉｎｇ）、およびソルダリング（ｓｏｌｄｅｒｉｎｇ）作業を順次的に行うことによって、希望の出力電圧特性を示すサイズの彫刻セルモジュールを作った後、前記彫刻セルモジュールの背面には、接着封止材と基板を順次積層し、前面には、接着封止材と表面保護用フィルムを順次積層し、真空圧縮（ｖａｃｕｕｍ  ｃｏｍｐｒｅｓｓｉｏｎ）及び熱接着するラミネーティング（ｌａｍｉｎａｔｉｎｇ）作業を行って作った高効率太陽電池モジュールを少なくとも２つ以上の直列あるいは並列連結し、蓋で包装して作った太陽電池モジュール部、及び
前記太陽電池モジュール部と連結ケーブルを通じて連結され、前記太陽電池モジュール部と連結された状態では、常に充電作動して内部の蓄電池を充電し、常に充電作動しているか、前記太陽電池モジュール部と連結が解除された状態では、出力スイッチがオンされると、放電作動して蓄電池に充電された電源を出力端子を通じて外部の携帯用通信装備に供給する充電部、
から構成されることを特徴とする高効率太陽電池モジュールを用いた携帯用通信装備用充電装置。
【請求項２】
前記彫刻セルは、裏面電極型太陽電池の熱衝撃を最小化し、ブレーキング（ｂｒｅａｋｉｎｇ）作業して分離した彫刻セルのリーク電流を最小化することによって、前記太陽電池モジュールの光電効率を高効率化することができる紫外線レーザースクライビング（ｓｃｒｉｂｉｎｇ）マシンでスクライビング作業して作った彫刻セルであることを特徴とする第１項に記載の高効率太陽電池モジュールを用いた携帯用通信装備用充電装置。
【請求項３】
前記彫刻セルモジュールは、ブレーキング（ｂｒｅａｋｉｎｇ）作業して分離した彫刻セルの光電テストの結果、互いに同じ電流測定値を示したり、互いに±０．０１ｍＡの誤差範囲で類似な電流測定値を示す彫刻セルを選別使用して作ったことを特徴とする第１項に記載の高効率太陽電池モジュールを用いた携帯用通信装備用充電装置。
【請求項４】
前記彫刻セルモジュールは、反射率の高い金属電極が、光が入射する前面に向かって露出されないように彫刻セルと彫刻セル間の間隔を０．１〜０．５ｍｍの範囲に制限した状態でテビン（ｔａｂｂｉｎｇ）とストリング（ｓｔｒｉｎｇ）、およびソルダリング（ｓｏｌｄｅｒｉｎｇ）作業を順次的に行って製作したことを特徴とする第１項に記載の高効率太陽電池モジュールを用いた携帯用通信装備用充電装置。
【請求項５】
前記充電部は、放電作動中に、予め定めた時間の間、負荷電流が基準電流以上に多くなったり、前記蓄電池の電圧が予め定めた基準電圧以下に低くなると、自動的に放電作動を停止し、前記出力スイッチが自動的にオフされることを特徴とする第１項に記載の高効率太陽電池モジュールを用いた携帯用通信装備用充電装置。
【発明の詳細な説明】
【技術分野】
【０００１】
本発明は、充電装置に関し、もっと詳しくは高効率太陽電池モジュールを用いた携帯用通信装備用充電装置に関するものである。
【背景技術】
【０００２】
軍用無線機、常用無線機、移動通信用携帯電話機、スマートフォン、ノートパソコンなどのような様々な携帯用通信装備の電源として使用される蓄電池は、一定時間が経過すると、再充電したり、交代したりしなければならない問題点がある。
【０００３】
前記した携帯用通信装備の蓄電池を充電するためには、常用電源や充電装置を利用するが、常用電源から離れているか、充電装置を有していない場合には、再充電を行うことができない。
【０００４】
特許文献１と特許文献２に太陽電池モジュールを携帯電話機用の蓄電池の背面に直接付着する充電装置技術が掲載されている。
【０００５】
特許文献１と特許文献２に掲載されている従来の太陽電池モジュールを用いた携帯用通信装備用の充電装置は、太陽電池モジュールの使用範囲が、該当携帯電話機に限定されて他の携帯用通信装備の蓄電池に互換できない欠点がある。
【先行技術文献】
【特許文献】
【０００６】
【特許文献１】米国登録特許第５８９８９３２号
【特許文献２】韓国特許第１０−２００３−００５３９８８号公報
【発明の概要】
【発明が解決しようとする課題】
【０００７】
本発明は、前記のような従来の問題点を解決するためのものであり、本発明の目的は、軍用無線機、常用無線機、移動通信用携帯電話機、スマートフォン、ノートパソコンなどのような様々な携帯用通信装備用に使用可能で、前面に金属性反射物質である電極がなく変換効率が２０％以上で高効率な裏面電極型（ＩＢＣ：Ｉｎｔｅｒｄｉｇｉｔａｔｅｄ  Ｂａｃｋ  Ｃｏｎｔａｃｔ）の太陽電池をスクライビング（ｓｃｒｉｂｉｎｇ）作業し、手でブレーキング（ｂｒｅａｋｉｎｇ）作業して分離した、少なくとも２つ以上の彫刻セルを使用して希望の出力電圧特性を示すサイズの彫刻セルモジュールを作ってから、前記彫刻セルモジュールの背面には接着封止材と基板を順次積層し、前面には接着封止材と表面保護用フィルムを順次積層し、真空圧縮（ｖａｃｕｕｍ  ｃｏｍｐｒｅｓｓｉｏｎ）及び熱接着するラミネーティング（ｌａｍｉｎａｔｉｎｇ）作業を実行して作った高効率太陽電池モジュールを少なくとも２つ以上の直列あるいは並列連結し、蓋で包装して作った太陽電池モジュール部を使用し、前記太陽電池モジュール部を連結ケーブルを通じて充電部と連結した状態で蓄電池を充電し、必要に応じて蓄電池に充電された電源を出力端子を通じて外部の携帯用通信装備に供給する高効率太陽電池モジュールを用いた携帯用通信装備用充電装置を提供することである。
【課題を解決するための手段】
【０００８】
前記のような本発明の目的を達成するために、本発明による高効率太陽電池モジュールを用いた携帯用通信装備用充電装置は、前面に金属反射物質である電極がなく変換効率が２０％以上に高効率な裏面電極型（ＩＢＣ：Ｉｎｔｅｒｄｉｇｉｔａｔｅｄ  Ｂａｃｋ  Ｃｏｎｔａｃｔ）太陽電池を、予め定めたサイズの長方形や正方形の彫刻セル形状にスクライビング（ｓｃｒｉｂｉｎｇ）作業し、スクライビングされた彫刻セルを手でブレーキング（ｂｒｅａｋｉｎｇ）作業して分離した、少なくとも２つ以上の彫刻セルを使用してテビン（ｔａｂｂｉｎｇ）とストリング（ｓｔｒｉｎｇ）、およびソルダリング（ｓｏｌｄｅｒｉｎｇ）作業を順次的に行うことにより、希望の出力電圧特性を示すサイズの彫刻セルモジュールを作った後、前記の彫刻セルモジュールの背面には接着封止材と基板を順次積層し、前面には接着封止材と表面保護用フィルムを順次積層し、真空圧縮（ｖａｃｕｕｍ  ｃｏｍｐｒｅｓｓｉｏｎ）及び熱接着するラミネーティング（ｌａｍｉｎａｔｉｎｇ）作業を行って作った高効率太陽電池モジュールを少なくとも２つ以上の直列あるいは並列連結し、蓋で包装して作った太陽電池モジュール部、及び前記太陽電池モジュール部と連結ケーブルを通じて連結され、前記太陽電池モジュール部と連結された状態では、常に充電作動して内部の蓄電池を充電し、常に充電作動中であるか、前記太陽電池モジュール部と連結解除された状態では、出力スイッチがオンされると、放電作動して蓄電池に充電された電源を出力端子を通じて外部の携帯用通信装備に供給する充電部；から構成されることを特徴とする。
【０００９】
本発明による高効率太陽電池モジュールを用いた携帯用通信装備用充電装置において、前記彫刻セルは、裏面電極型太陽電池の熱衝撃を最小化し、ブレーキング（ｂｒｅａｋｉｎｇ）作業して分離した彫刻セルのリーク電流を最小化することによって、前記太陽電池モジュールの光電効率を高効率化することができる紫外線レーザースクライビング（ｓｃｒｉｂｉｎｇ）マシンでスクライビング作業して作った彫刻セルのことを特徴とする。
【００１０】
本発明による高効率太陽電池モジュールを用いた携帯用通信装備用充電装置において、前記彫刻セルモジュールは、ブレーキング（ｂｒｅａｋｉｎｇ）作業して分離した彫刻セルの光電テストの結果、互いに同じ電流測定値を表示したり、お互いに±０．０１ｍＡの誤差範囲で類似な電流測定値を示す彫刻セルを選別使用して作ったことを特徴とする。
【００１１】
本発明による高効率太陽電池モジュールを用いた携帯用通信装備用充電装置において、前記彫刻セルモジュールは、反射率の高い金属電極が、光が入射する前面に向かって露出されないように彫刻セルと彫刻セルとの間の間隔を０．１〜０．５ｍｍの範囲に制限した状態で、テビン（ｔａｂｂｉｎｇ）とストリング（ｓｔｒｉｎｇ）、およびソルダリング（ｓｏｌｄｅｒｉｎｇ）作業を順次的に行って製作したことを特徴とする。
【００１２】
本発明による高効率太陽電池モジュールを用いた携帯用通信装備用充電装置において、前記充電部は、放電作動中に予め定められた時間の間、負荷電流が基準電流以上に多くなったり、前記蓄電池の電圧が予め定められた基準電圧以下に低くなると、自動的に放電作動を停止し、前記出力スイッチが自動的にオフされることを特徴とする。
【発明の効果】
【００１３】
本発明は、基本的に前面に金属性反射物質である電極がなく変換効率が２０％以上で高効率な裏面電極型（ＩＢＣ：Ｉｎｔｅｒｄｉｇｉｔａｔｅｄ  Ｂａｃｋ  Ｃｏｎｔａｃｔ）太陽電池を彫刻セルに作って使用し、彫刻セルを裏面電極型太陽電池の熱衝撃を最小化し、彫刻セルのリーク電流を最小化することによって、前記太陽電池モジュールの光電効率を高効率化することができる紫外線レーザースクライビング（ｓｃｒｉｂｉｎｇ）マシンでスクライビング作業し、同一または類似の電流測定値を示す彫刻セルを選別して使用し、反射率の高い金属電極が光が入射する前面に向かって露出されないように彫刻セルと彫刻セルとの間の間隔を制限した状態で彫刻セルモジュールを製作するので、前記した高効率太陽電池モジュールの変換効率が１８．５〜１８．７％の高効率を示すことを確認することができ、このような結果は、通常１０〜１３％の変換効率を示す従来の太陽電池モジュールに比べて相対的に優れた変換効率を示すものである。
【図面の簡単な説明】
【００１４】
【図１】本発明による高効率太陽電池モジュールを用いた携帯用通信装備用充電装置の構成を示すブロック図である。
【図２】本発明による高効率太陽電池モジュールの製造工程図である。
【図３】本発明の実施形態で使用される高効率の裏面電極型（ＩＢＣ）太陽電池の写真である。
【図４】紫外線レーザースクライビング（ｓｃｒｉｂｉｎｇ）マシンと紫外線レーザーでスクライブされたセルの写真である。
【図５】ブレーキング作業が完了された彫刻セルの前面と背面の写真である。
【図６】少なくとも２つ以上の彫刻セルを使用して、テビン（ｔａｂｂｉｎｇ）とストリング（ｓｔｒｉｎｇ）作業し、ソルダリング（ｓｏｌｄｅｒｉｎｇ）作業して定められたサイズの彫刻セルモジュールを作る写真である。
【図７】彫刻セルモジュールでラミネーティング（ｌａｍｉｎａｔｉｎｇ）の作業を行って、高効率太陽電池モジュールを作る過程を示す概要図である。
【図８】本発明による高効率太陽電池モジュールの試製品写真である。
【図９】本発明による高効率太陽電池モジュールを少なくとも２つ以上の直列または並列連結して、ポケット型蓋で包装して作ったポケット型太陽電池モジュール部の試製品の写真である。
【図１０】本発明による高効率太陽電池モジュールを少なくとも２つ以上の直列または並列連結して付着型の蓋で包装して作った付着型太陽電池モジュール部の試製品写真である。
【図１１】本発明による高効率太陽電池モジュールを少なくとも２つ以上の直列または並列連結して、据置型の蓋で包装して作った据置型太陽電池モジュール部の試製品写真である。
【図１２】本発明による高効率太陽電池モジュールの変換効率を測定した表である。
【発明を実施するための形態】
【００１５】
以下、本発明の好ましい実施形態を添付の図面を参照して、もっと詳しく説明する。
【００１６】
図１を参照すると、本発明による高効率太陽電池モジュールを用いた携帯用通信装備用充電装置１００は、太陽電池モジュール部１１０と充電部１２０で構成される。
【００１７】
前記太陽電池モジュール部１１０は、前面に金属性反射物質である電極がなく変換効率が２０％以上で高効率な裏面電極型（ＩＢＣ：Ｉｎｔｅｒｄｉｇｉｔａｔｅｄ  Ｂａｃｋ  Ｃｏｎｔａｃｔ）太陽電池を、予め定められたサイズの長方形や正方形の彫刻セル形状スクライビング（ｓｃｒｉｂｉｎｇ）作業し、スクライビングされた彫刻セルを手でブレーキング（ｂｒｅａｋｉｎｇ）作業して分離した少なくとも２つ以上の彫刻セルを使用してテビン（ｔａｂｂｉｎｇ）とストリング（ｓｔｒｉｎｇ）、およびソルダリング（ｓｏｌｄｅｒｉｎｇ）作業を順次的に行うことによって、希望の出力電圧特性を示すサイズの彫刻セルモジュールを作った後、前記彫刻セルモジュールの背面には接着封止材と基板を順次積層し、前面には接着封止材と表面保護用フィルムを順次積層し、真空圧縮（ｖａｃｕｕｍ  ｃｏｍｐｒｅｓｓｉｏｎ）及び熱接着するラミネーティング（ｌａｍｉｎａｔｉｎｇ）の作業を行って作った高効率太陽電池モジュールを少なくとも２つ以上の直列あるいは並列連結し、蓋で包装して作ったものである。
【００１８】
図２を参照して、本発明による高効率太陽電池モジュールの製造工程Ｓ１００を詳細に説明すると次の通りである。
【００１９】
まず、第一に、製造者は、前面に金属性反射物質である電極がなく変換効率が２０％以上で高効率な裏面電極型（ＩＢＣ）太陽電池を準備するＳ１１０。
【００２０】
参考までに、図３の（ａ）と（ｂ）は、前記したＳ１１０の過程で準備した高効率の裏面電極型（ＩＢＣ）太陽電池の前面と背面の写真であり、２３．４％／１４８．９ｃｍ２の高効率特性があると知られているアメリカＳｕｎＰｏｗｅｒ  Ｃｏ．のモデル番号Ｃ６０  ＳＯＬＡＲ  ＣＥＬＬの写真である。
【００２１】
次に、製造者は、準備された高効率の裏面電極型（ＩＢＣ）太陽電池を、予め定めたサイズの長方形や正方形の彫刻セル形状にスクライビング（ｓｃｒｉｂｉｎｇ）作業するＳ１２０。
【００２２】
このとき、スクライビングされる彫刻セルは、裏面電極型太陽電池の熱衝撃を最小化し、ブレーキング（ｂｒｅａｋｉｎｇ）作業して分離した彫刻セルのリーク電流を最小化することによって、前記太陽電池モジュールの光電効率を高効率化することができる紫外線レーザースクライビング（ｓｃｒｉｂｉｎｇ）マシンでスクライビング作業して作ることが最も好ましい。
【００２３】
参考までに、図４の（ａ）は、紫外線レーザースクライビング（ｓｃｒｉｂｉｎｇ）マシンの写真であり、図４の（ｂ）は、紫外線レーザーでスクライブされたセルの写真である。
【００２４】
次に、製造者は、スクライビングされた彫刻セルを手でブレーキング（ｂｒｅａｋｉｎｇ）作業するＳ１３０）。
【００２５】
この時、彫刻セルに指紋が付くことを防止するために、フィンガーコートやラテックスグローブを使用することが望ましい。
【００２６】
参考までに、図５の（ａ）と（ｂ）は、ブレーキング作業が完了された彫刻セルの前面と背面の写真である。
【００２７】
次に、製造者は分離した少なくとも２つ以上の彫刻セルを使用してテビン（ｔａｂｂｉｎｇ）とストリング（ｓｔｒｉｎｇ）、およびソルダリング（ｓｏｌｄｅｒｉｎｇ）作業を順次的に行うことによって、希望の出力電圧特性を示すサイズの彫刻セルモジュールを作るＳ１４０。
【００２８】
このとき、製造者はブレーキング（ｂｒｅａｋｉｎｇ）作業して分離した彫刻セルの光電テストの結果、互いに同じ電流測定値を表示したり、お互いに±０．０１ｍＡの誤差範囲で類似な電流測定値を示す彫刻セルを選別して使用する。前記彫刻セルに対する光電テストは、ハロゲンランプを使用して彫刻セルに光を照射した状態で、マルチテスターで電流値を測定する方法で行うことができる。
【００２９】
このように、電流測定値が同一または類似の彫刻セルを選別使用することによって、太陽電池モジュールの変換効率を高めることができる。
【００３０】
また、製造者は反射率の高い金属電極が、光が入射する前面に向かって露出されないように、彫刻セルと彫刻セルとの間の間隔を０．１〜０．５ｍｍの範囲（例えば、０．５ｍｍ）に制限した状態で、テビン（ｔａｂｂｉｎｇ）とストリング（ｓｔｒｉｎｇ）、およびソルダリング（ｓｏｌｄｅｒｉｎｇ）作業を順次的に行って、前記彫刻セルモジュールを製作することが望ましい。
【００３１】
参考までに、図６の（ａ）はジグを利用して彫刻セルをテビン（ｔａｂｂｉｎｇ）とストリング（ｓｔｒｉｎｇ）作業する写真であり、図６の（ｂ）はテビン（ｔａｂｂｉｎｇ）とストリング（ｓｔｒｉｎｇ）作業の途中に彫刻セルを定められた間隔で固定するために耐熱性が強いポリエステル（ＰＥ）テープで彫刻セルと彫刻セルとの間を接着して固定する背面写真であり、図６の（ｃ）は図６の（ｂ）の前面写真であり、図６の（ｄ）は半田付け用リボンで彫刻セルと彫刻セルの間をソルダリング（ｓｏｌｄｅｒｉｎｇ）し、彫刻セルと彫刻セルとの間のショートを防止するために、ポリエステル（ＰＥ）テープを接着して作った彫刻セルモジュールの背面写真である。
【００３２】
次に、製造者は、前記のように作られた彫刻セルモジュールの背面には接着封止材と基板を順次積層し、前面には接着封止材と表面保護用フィルムを順次積層し、真空圧縮（ｖａｃｕｕｍ  ｃｏｍｐｒｅｓｓｉｏｎ）及び熱接着するラミネーティング（ｌａｍｉｎａｔｉｎｇ）の作業を行って、高効率太陽電池モジュールを作るＳ１５０。
【００３３】
このとき、接着封止材としては、エチレンビニールアセテート（ＥＶＡ）フィルムなどを使用することができ、表面保護用フィルムとしては、ガラス（ｇｌａｓｓ）、ポリエチレン（ＰＥ）フィルム等を使用することができる。
【００３４】
また、前記基板としては、ＰＣＢあるいは金属板を使用することができ、前記金属板としては、軽量でありながら、必要な程度の剛性が維持されるマグネシウム（Ｍｇ）板を使用することが望ましい。
【００３５】
特に、薄い厚さのマグネシウム（Ｍｇ）板を基板として使用する場合には、背面の全体領域あるいは部分領域に屈曲模様などの剛性補強用パターンを形成することが望ましい。
【００３６】
参考までに、図７は、彫刻セルモジュールの背面にはＥＶＡフィルムと基板を順次積層し、前面にはＥＶＡフィルムとＰＥフィルムを順次積層し、真空圧縮（ｖａｃｕｕｍ  ｃｏｍｐｒｅｓｓｉｏｎ）及び熱接着するラミネーティング（ｌａｍｉｎａｔｉｎｇ）作業を行って高効率太陽電池モジュールを作る過程を示す概要図である。
【００３７】
参考までに、図８の（ａ）はＰＣＢ基板を使用して作った高効率太陽電池モジュールの試製品写真であり、図８の（ｂ）はマグネシウム（Ｍｇ）板を使用して作った高効率太陽電池モジュールの試製品写真である。
【００３８】
最後に、製造者は、前記のように作られた高効率太陽電池モジュールを少なくとも２つ以上の直列あるいは並列連結し、蓋で包装して、太陽電池モジュール部１１０を作るＳ１６０。
【００３９】
参考までに、図９の（ａ）は本発明による高効率太陽電池モジュールを少なくとも２つ以上の直列または並列連結して、ポケット型蓋で包装して作ったポケット型太陽電池モジュール部１１０の試製品外観写真、図９の（ｂ）は高効率太陽電池モジュール２つを直列連結して作ったポケット型太陽電池モジュール部１１０の試製品展開写真、図９の（ｃ）は高効率太陽電池モジュール４つを直列あるいは並列連結して作ったポケット型太陽電池モジュール部１１０の試製品展開写真である。
【００４０】
参考までに、図１０の（ａ）は本発明による高効率太陽電池モジュールを少なくとも２つ以上の直列または並列連結して付着型蓋で包装して作った付着型太陽電池モジュール部１１０の試製品外観写真、図１０の（ｂ）は高効率太陽電池モジュール３つを直列あるいは並列連結して作った付着型太陽電池モジュール部１１０の試製品展開写真、図１０の（ｃ）は高効率太陽電池モジュール３つを直列あるいは並列連結して作った付着型の他の太陽電池モジュール部１１０の試製品展開写真である。
【００４１】
参考までに、図１１の（ａ）は本発明による高効率太陽電池モジュール２つを直列あるいは並列連結して、据置型蓋で包装して作った据置型太陽電池モジュール部１１０の試製品展開写真、図１１の（ｂ）は高効率太陽電池モジュール４つを直列あるいは並列連結して作った据置型太陽電池モジュール部１１０の試製品展開写真、図１１の（ｃ）は高効率太陽電池モジュール５つを直列あるいは並列連結して作った据置型の他の太陽電池モジュール部１１０の試製品展開写真である。
【００４２】
図９ないし図１１の写真で示すように、本発明による高効率太陽電池モジュールを少なくとも２つ以上並列連結して太陽電池モジュール部１１０を作って使用する場合には、一部の太陽電池モジュールが破損されたり、部分陰影の際にも、残りの高効率太陽電池モジュールが作動して充電部１２０に充電電源を供給することができる。
【００４３】
参考までに、図１２は本発明による高効率太陽電池モジュールの変換効率を測定した表である。
【００４４】
図１２は、本出願人の試製品のうち、ポケット型モデルＳＣ−５、付着型モデルＳＣ−１６Ａ、ＳＣ−３０、据置型モデルＳＣ−１６Ｂのそれぞれに対するセル面積（Ｃｅｌｌ  Ａｒｅａ）１２２．５ｃｍ２、３９４．１ｃｍ２、７３８．ｃｍ２、４６４．４ｃｍ２での変換効率を測定した結果であって、本発明による高効率太陽電池モジュールの変換効率が１８．５〜１８．７％の高効率を示すことを確認することができ、このような結果は、通常１０〜１３％の変換効率を示す従来の太陽電池モジュールに比べて相対的に優れた変換効率を示すものである。
【００４５】
前記充電部１２０は、前記太陽電池モジュール部１１０と連結ケーブル１３０を通じて連結され、内部のＭＣＵ１２１の制御作動により出力スイッチ１２２がオフされ、前記太陽電池モジュール部１１０と連結された状態では、常に充電作動して内部の蓄電池１２５を充電し、常に充電作動しているか、前記太陽電池モジュール部１１０との連結が解除された状態では、出力スイッチ１２２がオンされると、放電作動して蓄電池１２５に充電された電源を、出力端子を通じて外部の携帯用通信装備２００に供給する。
【００４６】
前記充電部１２０は、箱状に製作することが望ましいが、用途に応じてさまざまな形状に製作することができる。
【００４７】
前記充電部１２０のＭＣＵ１２１は、出力スイッチ１２２がオフされ、前記太陽電池モジュール部１１０と連結された状態では、常に充電作動して連結ケーブル１３０が連結されている入力端子１２３を通じて供給される入力電源を第１の変換機１２４によって蓄電池１２５を充電するための充電電源に変換して蓄電池１２５を充電する。
【００４８】
前記充電部１２０のＭＣＵ１２１は、常に充電作動しているか、前記太陽電池モジュール部１１０との連結が解除された状態では、出力スイッチ１２２がオンされると、放電作動して蓄電池１２５に充電された電源を少なくとも１つ以上の第２の変換機１２６によって外部の携帯用通信装備２００で必要とする電源に変換して、該当第２の変換機１２６の出力端子１２７を通じて外部の携帯用通信装備２００に供給する。
【００４９】
前記のように構成される本発明による高効率太陽電池モジュールを用いた携帯用通信装備用充電装置１００は、次のように使用される。
【００５０】
前記した高効率太陽電池モジュールを用いた携帯用通信装備用充電装置１００は、軍用無線機、常用無線機、移動通信用携帯電話機、スマートフォン、ノートパソコンなどのような様々な携帯用通信装備の電源として使用される蓄電池を充電するために使用される。
【００５１】
例えば、本発明による高効率太陽電池モジュールを用いた携帯用通信装備用充電装置１００を軍用無線機の充電のために使用する場合、ユーザーは連結ケーブル１３０を使用して、前記太陽電池モジュール部１１０を充電部１２０に連結する。
【００５２】
前記連結ケーブル１３０は、分離携帯用で製作されたもの、前記太陽電池モジュール部１１０に１つの連結端子が一体に連結され、残りの他の連結端子が充電部１２０に着脱されるもの、あるいは逆に、前記充電部１２０に１つの連結端子が一体に連結され、残りの他の連結端子は太陽電池モジュール部１１０に着脱されるものを使用することができる。
【００５３】
前記のように、太陽電池モジュール部１１０が充電部１２０と連結されると、前記充電部１２０の出力スイッチ１２２のオン、オフの状態に応じて、前記太陽電池モジュール部１１０は、充電用電源を供給したり、供給を中断し、前記充電部１２０は、充電作動あるいは放電作動をする。
【００５４】
このように、前記太陽電池モジュール部１１０が充電部１２０と連結された状態で、前記出力スイッチ１２２がオフされていると、前記充電部１２０は、常に充電作動して、連結ケーブル１３０が連結される入力端子１２３を通じて供給される入力電源を第１の変換機１２４によって蓄電池１２５を充電するための充電電源に変換して蓄電池１２５を充電する。また、このとき、本発明による高効率太陽電池モジュールの変換効率が１８．５〜１８．７％の高効率を示すので、通常１０〜１３％の変換効率を示す従来の太陽電池モジュールに比べて相対的に速く蓄電池１２５が充電される。
【００５５】
前記のように充電部１２０が常に充電作動をしているか、前記太陽電池モジュール部１１０と連結が解除された状態で、ユーザーにより前記出力スイッチ１２２がオンされると、前記充電部１２０は、放電作動して蓄電池１２５に充電された電源を、少なくとも１つ以上の第２の変換機１２６によって外部の携帯用通信装備２００で必要とする電源に変換して、該当第２の変換機１２６の出力端子１２７を通じて外部の携帯用通信装備２００に供給する。
【００５６】
以上で説明した本発明による高効率太陽電池モジュールを用いた携帯用通信装備用充電装置は、前記した実施形態に限定されず、以下の特許請求の範囲で請求する本発明の要旨を逸脱することなく、本発明が属する分野で通常の知識を有する者であれば、誰でも多様に変更して実施することができる範囲まで、その技術的精神がある。
【符号の説明】
【００５７】
１００：高効率太陽電池モジュールを用いた携帯用通信装備用充電装置
１１０：太陽電池モジュール部
１２０：充電部
１２１：ＭＣＵ
１２２：出力スイッチ
１２３：入力端子
１２４：第１の変換機
１２５：蓄電池
１２６：第２の変換機
１２７：出力端子
１３０：連結ケーブル
２００：携帯用通信装備
【図１】
2017011816.tif 000003
【図２】
2017011816.tif 000004
【図３】
2017011816.tif 000005
【図４】
2017011816.tif 000006
【図５】
2017011816.tif 000007
【図７】
2017011816.tif 000008
【図８】
2017011816.tif 000009
【図９】
2017011816.tif 000010
【図１０】
2017011816.tif 000011
【図１１】
2017011816.tif 000012
【図１２】
2017011816.tif 000013
【図６】
2017011816.tif 000014